(57)【要約】【課題】テストプラグを用いることなく変流器からの電流を測定することが可能な端子盤を提供する。【解決手段】電力系統に設置された変流器と、変流器からの電流が供給される機器とが接続される端子盤であって、変流器からの第１ケーブルが接続される第１端子と、機器に電流を供給するための第２ケーブルが接続される第２端子と、第１及び第２端子の間を電気的に接続しつつ、変流器及び機器との間の電流を測定するクランプメータが取り付けられるように端子盤の表面に設けられた接続部と、を備える。【選択図】図１
2014032083.tif 000002
【特許請求の範囲】
【請求項１】
電力系統に設置された変流器と、前記変流器からの電流が供給される機器とが接続される端子盤であって、
前記変流器からの第１ケーブルが接続される第１端子と、
前記機器に電流を供給するための第２ケーブルが接続される第２端子と、
前記第１及び第２端子の間を電気的に接続しつつ、前記変流器及び前記機器との間の電流を測定するクランプメータが取り付けられるように前記端子盤の表面に設けられた接続部と、
を備えることを特徴とする端子盤。
【請求項２】
請求項１に記載の端子盤であって、
前記接続部の表面は絶縁されていること、
を特徴とする端子盤。
【請求項３】
請求項１または請求項２に記載の端子盤であって、
前記第２端子と前記機器との間に設けられ、テストプラグが挿入されていないと、前記機器と前記第２端子との間を電気的に接続し、前記テストプラグが挿入されると、前記機器と前記２端子との間を開放するテストターミナルを更に備えること、
を特徴とする端子盤。
【請求項４】
請求項１〜請求項３に記載の何れか一項に記載の端子盤であって、
前記機器はリレーであり、
前記端子盤は、前記リレーが設けられたリレー盤であること、
を特徴とする端子盤。
【発明の詳細な説明】
【技術分野】
【０００１】
本発明は、端子盤に関する。
【背景技術】
【０００２】
一般的な電力系統には、送電線の電流に応じた電流を生成する変流器と、変流器からの電流に基づいて動作する継電器とが配置されている。例えば、変流器からの電流の精度が悪化すると、継電器は正常に動作しなくなるため、変流器からの電流は、作業者により定期的に計測される。このような電流の計測は、一般に、変流器及び継電器の間に設けられたテストターミナルにテストプラグ（試験プラグ）が挿入されることにより行われる（例えば、特許文献１参照）。
【先行技術文献】
【特許文献】
【０００３】
【特許文献１】特開２００８−１０７０８８号公報
【発明の概要】
【発明が解決しようとする課題】
【０００４】
ところで、定期点検等において、作業者が変流器からの電流を計測する際には、数日間テストターミナルにテストプラグが挿入された状態が続くことがある。このような場合、他の作業者が誤って変流器からのケーブルやテストプラグに触れてしまい、感電や短絡接地等の事故が発生してしまうことがある。
【０００５】
本発明は上記課題を鑑みてなされたものであり、テストプラグを用いることなく変流器からの電流を測定することが可能な端子盤を提供する。
【課題を解決するための手段】
【０００６】
上記目的を達成するため、本発明の一つの側面に係る、電力系統に設置された変流器と、前記変流器からの電流が供給される機器とが接続される端子盤は、前記変流器からの第１ケーブルが接続される第１端子と、前記機器に電流を供給するための第２ケーブルが接続される第２端子と、前記第１及び第２端子の間を電気的に接続しつつ、前記変流器及び前記機器との間の電流を測定するクランプメータが取り付けられるように前記端子盤の表面に設けられた接続部と、を備える。
【発明の効果】
【０００７】
テストプラグを用いることなく変流器からの電流を測定することが可能な端子盤を提供する。
【図面の簡単な説明】
【０００８】
【図１】本発明の一実施形態であるリレー盤２１が設けられた電力系統の概要を示す図である。
【図２】リレー盤２１に設けられた測定用バー３１ａの詳細を示す図である。
【図３】テストプラグ３５が挿入されていない状態のテストターミナル３２を説明するための図である。
【図４】テストプラグ３５が挿入された状態のテストターミナル３２を説明するための図である。
【発明を実施するための形態】
【０００９】
本明細書および添付図面の記載により、少なくとも以下の事項が明らかとなる。
【００１０】
図１は、本発明の一実施形態である電力系統に設けられたリレー盤２１の概要を示す図である。電力系統には、変流器２０（変流器２０ａ〜２０ｃ）、リレー盤２１、及びクランプメータ２５が設けられている。
【００１１】
変流器２０ａ〜２０ｃは、電力系統の三相の送電線１０ａ〜１０ｃのそれぞれに流れる電流の電流値に応じた電流Ｉａ〜Ｉｃを出力する。なお、電流Ｉａ〜Ｉｃは、ケーブル４０ａ〜４０ｃを介してリレー盤２１に供給される。また、電流Ｉａ〜Ｉｃの合計の電流Ｉｄ（＝Ｉａ＋Ｉｂ＋Ｉｃ）は、ケーブル４０ｄを介してリレー盤２１から変流器２０のへと流れる。
【００１２】
リレー盤２１（端子盤）には、リレー３０、測定用バー３１、テストターミナル３２が設けられている。リレー３０（機器）は、変流器２０ａ〜２０ｃからの電流Ｉａ〜Ｉｃに応じて、例えば遮断器（不図示）の遮断を制御する継電器である。なお、リレー３０には、測定用バー３１、テストターミナル３２を介して電流Ｉａ〜Ｉｃが供給される。
【００１３】
クランプメータ２５は、一般的なケーブルや測定用バー３１を挟みこむことが可能な開閉可能なトランスコア２６（クランプ）を有するクランプ式の電流計である。
【００１４】
測定用バー３１ａ〜３１ｄのそれぞれは、変流器２０からの電流Ｉａ〜Ｉｃと、リレー３０からの電流Ｉｄを測定するためにリレー盤２１の表面に設けられた金属性の電流測定端子である。
【００１５】
測定用バー３１ａ（接続部）の端子Ｎ１（第１端子）には、ケーブル４０ａ（第１ケーブル）が接続され、測定用バー３１ａの端子Ｎ２（第２端子）には、ケーブル４１ａ（第２ケーブル）が接続されている。図２は、測定用バー３１ａの詳細を示す図である。また、電流を測定するトランスコア２６が測定用バー３１ａを挟みこめるよう（取り囲めるよう）、リレー盤２０に設けられている。測定用バー３１ａは、コの字状に形成され、測定用バー３１ａとリレー盤２０の表面との間には、隙間が設けられている。なお、図１では便宜上、ケーブル４０等は表面に描かれているが実際のリレー盤２０では、図２に示すように、ケーブル４０等はリレー盤２０の内側に配設されている。
【００１６】
測定用バー３１ａと同様に、測定用バー３１ｂ，３１ｃ，３１ｄのそれぞれの端子Ｎ３，Ｎ５，Ｎ７には、ケーブル４０ｂ，４０ｃ，４０ｄが接続されている。また、測定用バー３１ｂ，３１ｃ，３１ｄのそれぞれの端子Ｎ４，Ｎ６，Ｎ８には、ケーブル４１ｂ，４１ｃ，４１ｄが接続されている。また、測定用バー３１ａ〜３１ｄのそれぞれの表面は絶縁処理が施され、絶縁されている。このため、測定用バー３１ａ〜３１ｄと、リレー盤２１とは電気的に絶縁されている。
【００１７】
テストターミナル３２は、変流器２０とリレー３０との間の導通状態を切り替えるための器具である。図３は、テストターミナル３２にテストプラグが挿入されていない状態の一例を示す図である。図４は、テストターミナル３２にテストプラグが挿入された場合の一例を示す図である。
【００１８】
図３に示すように、テストターミナル３２は、端子８０ａ〜８０ｄ，８１ａ〜８１ｄ、開口１００を含んで構成される。
【００１９】
端子８０ａ〜８０ｄは、ケーブル４１ａ〜４１ｄのそれぞれに接続され、端子８１ａ〜８１ｄは、リレー３０に接続されるケーブル４２ａ〜４２ｄのそれぞれに接続される。そして、端子８０ａ〜８０ｄ及び８１ａ〜８１ｄの間に設けられた開口１００には、テストプラグ３５が挿入される。
【００２０】
テストターミナル３２は、開口１００にテストプラグ３５が挿入されていない場合には、図３に示すように、端子８０ａ〜８０ｄと、端子８１ａ〜８１ｄとのそれぞれの間を短絡している。つまり、この状態では、テストターミナル３２は、変流器２０及びリレー３０との間を電気的に接続する。
【００２１】
一方、テストターミナル３２は、開口１００にテストプラグ３５が挿入される場合には、図４に示すように、端子８０ａ〜８０ｄと、端子８１ａ〜８１ｄとのそれぞれの間を絶縁させる。つまり、テストターミナル３２は、テストプラグ３５が挿入されると、変流器２０及びリレー３０との間を開放する。
【００２２】
なお、テストプラグ３５は、開口１００に挿入された際に、端子８０ａ〜８０ｄのそれぞれに電気的に接続されるテスト端子９０ａ〜９０ｄと、端子８１ａ〜８１ｄのそれぞれに電気的に接続されるテスト端子９１ａ〜９１ｄとを含んでいる。このため、利用者は、例えば、前述したテスト端子に金属製のショートバー等（不図示）を取り付けることにより、所望のテスト端子間を短絡させることができる。そして、このようなテスト端子３５を用いられることにより、利用者は、例えば、リレー３０が故障等した場合に、旧いリレー３０から新しいリレー（不図示）に取り換えることができる。
【００２３】
以上、本発明の一実施形態であるリレー盤２１について説明した。ケーブル４０ａ等は、リレー盤２１の裏面からリレー盤２１の内側に配設される。したがって、このような場合、リレー盤２１に流れる電流Ｉａ等を測定するためには、一般には、テストプラグ３５がテストターミナル３２に挿入される。しかしながら、リレー盤２１の表面には、クランプメータ２５のトランスコア２６が挟みこめるような測定用バー３１ａ〜３１ｄが設けられている。このため、作業者はテストプラグ３５を用いることなく電流Ｉａ等を測定できる。この結果、電流Ｉａ等の測定期間が長くなった場合であっても、テストプラグ３５等に起因する事故等の発生確率を抑制できる。さらに作業者は、測定用バー３１ａ〜３１ｄにトランスコア２６を挟みこむだけで電流を測定できるため、作業時間を短縮できる。
【００２４】
また、測定用バー３１ａ〜３１ｄの表面は絶縁されている。このため、測定用バー３１ａ〜３１ｄ間での短絡や、作業者の感電等を防ぐことができる。
【００２５】
また、リレー盤２１には、テストターミナル３２が設けられている。このため、リレー３０の交換等の作業も実行できる。
【００２６】
また、測定用バー３１ａ〜３１ｄが設けられた端子盤は、リレー盤２１であることとしたが、これに限られない。例えば、受電盤や遠制盤（遠隔監視制御装置が設けられた盤）等に測定用バー３１ａ等が設けられていても、同様の効果を得ることができる。
【００２７】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００２８】
例えば、測定用バー３１ａ〜３１ｄの表面は絶縁処理されていることとしたが、一般的なケーブルと同様に絶縁物のカバーが測定用バー３１ａ〜３１ｄの周囲を覆っていても良い。
【符号の説明】
【００２９】
１０  送電線
２０  変流器
２５  クランプメータ
２７  トランスコア
３０  リレー
３１  測定用バー
３２  テストターミナル
３５  テストプラグ
４０〜４２  ケーブル
８０，８１  端子
９０，９１  テスト端子
【図１】
2014032083.tif 000003
【図２】
2014032083.tif 000004
【図３】
2014032083.tif 000005
【図４】
2014032083.tif 000006